(57)【要約】【課題】プラントのプラント系統構成、配置、運転、運用およびその他の知識がなくても、保守作業の計画立案および実施を可能にした管路閉塞支援装置およびその方法を提供する。【解決手段】管路閉塞支援装置１０Ｃは、ＭＭＩとしてのフロントエンドＣＡＤシステム１１と、演算処理する演算部１２と、プラントの系統図、部品図等のデータである系統図情報１３と、演算処理に必要な各種情報テーブルを格納するＤＢ１４Ｃと、外部機器とのＩ／ＦであるＩ／Ｆ部３６とを具備し、ＭＭＩとしてのフロントエンドＣＡＤシステム１１から閉塞区間を指示することで、演算部１２が最小の閉塞区間、閉塞手順等を計算処理して、計算結果をフロントエンドＣＡＤシステム１１に備えられた表示手段１６に表示する。【選択図】　図１２
2004118401.tif 000002
【特許請求の範囲】
【請求項１】
操作内容の入力を受け付けるマンマシンインターフェースと、
前記マンマシンインターフェースから入力された操作内容を受けて演算処理を実行する演算手段と、
プラントを構成する配管、弁等の構成部品の部品および組立情報を有する系統図情報と、
データを格納するデータベースとを具備し、
前記データベースは、前記プラントを構成する配管、弁等の構成部品の接続情報を有する接続情報テーブルと、前記プラントを構成する配管、弁等の構成部品の配置情報を有する配置情報テーブルと、前記プラントを構成する弁の属性情報を有する弁属性テーブルとを備え、
前記演算手段は、前記マンマシンインターフェースから入力された保守作業区間と、前記データベースに格納されるデータとを参照して保守作業の際に閉塞する弁を決定し、決定した閉塞区間および閉塞する弁の位置を表示手段にグラフィカルに表示させることを特徴とする管路閉塞支援装置。
【請求項２】
外部機器との電気的な接続を行うインターフェース部を具備し、前記外部機器との電気的な信号のやり取りを可能に構成したことを特徴とする請求項１記載の管路閉塞支援装置。
【請求項３】
前記データベースは、前記プラントの運転状況を有する運転テーブルを備え、
前記演算手段は、前記マンマシンインターフェースから入力された保守作業区間と、前記データベースに格納されるデータとを参照して保守作業の際に閉塞する弁を決定し、前記プラントの現在の運転状況および決定した閉塞する弁を閉塞する前後の運転状況を表示手段にグラフィカルに表示させることを特徴とする請求項２記載の管路閉塞支援装置。
【請求項４】
前記データベースは、前記プラントを構成する配管、弁等の構成部品の口径や前記構成部品を流れる流体の種類等の系統仕様情報を有する系統仕様テーブルと、前記流体の密度や粘性等の物性値情報を有する物性値テーブルとを備え、
前記演算手段は、前記マンマシンインターフェースから入力された保守作業区間と、前記データベースに格納されるデータとを参照して保守作業の際に閉塞する弁を決定し、決定した閉塞区間の内容積、内部流体の排出時間の計算し、表示手段に計算結果を表示させることを特徴とする請求項１または２記載の管路閉塞支援装置。
【請求項５】
前記データベースは、前記プラントを構成する配管、弁等の構成部品の口径や前記構成部品を流れる流体の種類等の系統仕様情報を有する系統仕様テーブルと、前記プラントの操作情報を有する操作テーブルとを備え、
前記演算手段は、前記マンマシンインターフェースから入力された保守作業区間と、前記データベースに格納されるデータとを参照して保守作業の際に閉塞する弁を決定し、前記閉塞する弁の操作として、操作順序および操作方法についての手順を表示手段に表示させることを特徴とする請求項１または２記載の管路閉塞支援装置。
【請求項６】
前記データベースは、前記プラントを構成する配管、弁等の構成部品の口径や前記構成部品を流れる流体の種類等の系統仕様情報を有する系統仕様テーブルと、前記プラントの操作情報を有する操作テーブルとを備え、
前記演算手段は、前記マンマシンインターフェースから入力された保守作業区間と、前記データベースに格納されるデータとを参照して保守作業の際に閉塞する弁を決定し、前記閉塞する弁の操作を操作順序および操作方法についての手順を表示手段に表示させ、前記閉塞する弁の操作を行う制御信号を送出可能に構成したことを特徴とする請求項２記載の管路閉塞支援装置。
【請求項７】
前記データベースは、保守作業の際に必要とされる仮設物の情報を有する仮設物テーブルと、前記仮設物の設置から撤去するまでに必要とされる工数の情報を有する工数テーブルとを備え、
前記演算手段は、前記マンマシンインターフェースから入力された保守作業区間と、前記データベースに格納されるデータとを参照して保守作業の際に閉塞する弁を決定し、前記閉塞する弁で閉塞するにあたって必要な仮設物および必要作業と、工数とを算出することを特徴とする請求項１または２記載の管路閉塞支援装置。
【請求項８】
前記データベースは、実施した保守作業の履歴情報を有する履歴テーブルとを備え、
前記マンマシンインターフェースから前記履歴情報を有する前記履歴テーブル前記外部機器の少なくとも一方から参照したい任意の履歴情報の閲覧および入手の少なくとも一方を可能に構成したことを特徴とする請求項２記載の管路閉塞支援装置。
【請求項９】
作業者がマンマシンインターフェースから保守作業区間を入力する保守作業区間入力ステップと、
前記保守作業区間入力ステップで入力された保守作業区間をプラントを運転状態のまま部分的に閉塞する幾つかの閉塞区間を前記マンマシンインターフェースに提示する閉塞区間提示ステップと、
作業者が前記マンマシンインターフェースから前記提示された閉塞区間のうち任意の閉塞区間を選択する閉塞区間選択ステップと、
前記閉塞区間選択ステップで入力された閉塞区間を前記マンマシンインターフェースに表示する閉塞区間表示ステップとを備えることを特徴とする管路閉塞支援方法。
【発明の詳細な説明】
【０００１】
【発明の属する技術分野】
本発明は、発電プラント等の配管を有するプロセスプラントの保守作業を支援する管路閉塞支援装置およびその方法に関する。
【０００２】
【従来の技術】
一般に発電プラント、その他の管路を有するプラントにおいて、その運転を継続した状態で管路の一部の保守を行う際には、その都度、系統図上での検討、確認を行った上で、保守作業が実施される。系統図上での検討および確認作業は、プラントの系統構成、配置、運転およびその他の知識が必要とされる。
【０００３】
例えば、管路を有するプラントにおいて、保守対象となる配管の補修を実施する場合、まず、系統図、配管図および関連する弁等の配管部品、機器に関する図書を収集し、収集した各図書から、プラントの系統構成、位置関係、運転上の制約条件といった種々の条件を抽出する。そして、抽出した種々の条件を考慮に入れながら、閉塞すべき弁の位置、閉塞の順序、内部流体の抜き出し位置の決定、排出の順序を設定する。
【０００４】
また、閉塞すべき弁の位置、閉塞の順序を設定する際にも、閉塞する弁の条件を考慮する。弁を閉塞すると、運転中の配管系統と保守中の配管系統との間に圧力差を生じ、閉塞する弁において圧力境界が形成される。従って、閉塞する弁が、圧力境界となるのに十分な仕様、強度を備えているかを評価・確認して保守作業の計画を立案する必要がある。
【０００５】
さらに、計画した保守作業を実施するにあたっては、保守作業に付随する作業（以下、保守付随作業とする）として、現場での作業手順の設定、例えば、作業上必要な足場や仮設配管等の仮設物の設置計画および手配、作業工数の見積等を保守作業前に実施する必要がある。この保守付随作業についても、プラントの配置、配管設計・施工技術に関する知識と経験が必要とされる。
【０００６】
【発明が解決しようとする課題】
しかしながら、プラント運転を継続した状態での一部の保守を実施するために行う系統図上での検討および確認する作業は、系統図、配管図および関連する弁等の配管部品、機器に関する図書を収集する資料収集作業並びにプラントの系統構成、配置、運転、運用およびその他の知識が必要であり、多大な労力と時間をかけて保守作業の計画立案を行っていた。また、保守作業の計画立案および実施にあたっても、保守作業の実施前に保守付随作業として、プラントの配置および配管設計・施工技術に関する知識と経験が必要な上、現場での作業手順の設定、例えば、作業上必要な足場や仮設配管等の仮設物の設置計画および手配、作業工数の見積といった膨大な作業を行う必要があり、多大の時間と労力を必要としていた。
【０００７】
本発明は、上述した事情を考慮してなされたものであり、系統図、配管図またはその他をマン（人）−マシン（機械）インターフェース（Ｍａｎ　Ｍａｃｈｉｎｅ　Ｉｎｔｅｒｆａｃｅ：ＭＭＩ）上に表示して、ＭＭＩから保守作業を実施する区間の入力を受け付け、最小の閉塞区間と合理的な閉塞手順を計算してその結果を二次元または三次元でグラフィカルに提示することにより、プラント系統構成、配置、運転、運用およびその他の知識がなくても、プラントの保守作業の計画立案および実施を可能にした管路閉塞支援装置およびその方法を提供することを目的とする。
【０００８】
また、本発明の他の目的は、従来、人が行っていた資料収集、計画立案の省力化を図った管路閉塞支援装置およびその方法を提供することにある。
【０００９】
さらに、本発明の他の目的は、現場での作業手順の設定、例えば、作業上必要な足場や仮設配管等の仮設物の設置計画および手配、作業工数の見積作業等の保守付随作業の省力化および合理化を図った管路閉塞支援装置およびその方法を提供するにある。
【００１０】
【課題を解決するための手段】
本発明に係る管路閉塞支援装置は、上述した課題を解決するため、請求項１に記載したように、操作内容の入力を受け付けるマンマシンインターフェースと、前記マンマシンインターフェースから入力された操作内容を受けて演算処理を実行する演算手段と、プラントを構成する配管、弁等の構成部品の部品および組立情報を有する系統図情報と、データを格納するデータベースとを具備し、前記データベースは、前記プラントを構成する配管、弁等の構成部品の接続情報を有する接続情報テーブルと、前記プラントを構成する配管、弁等の構成部品の配置情報を有する配置情報テーブルと、前記プラントを構成する弁の属性情報を有する弁属性テーブルとを備え、前記演算手段は、前記マンマシンインターフェースから入力された保守作業区間と、前記データベースに格納されるデータとを参照して保守作業の際に閉塞する弁を決定し、決定した閉塞区間および閉塞する弁の位置を表示手段にグラフィカルに表示させることを特徴とする。
【００１１】
上述した課題を解決するため、本発明に係る管路閉塞支援装置は、請求項２に記載したように、外部機器との電気的な接続を行うインターフェース部を具備し、前記外部機器との電気的な信号のやり取りを可能に構成したことを特徴とする。
【００１２】
また、上述した課題を解決するため、本発明に係る管路閉塞支援装置は、請求項３に記載したように、前記データベースは、前記プラントの運転状況を有する運転テーブルを備え、前記演算手段は、前記マンマシンインターフェースから入力された保守作業区間と、前記データベースに格納されるデータとを参照して保守作業の際に閉塞する弁を決定し、前記プラントの現在の運転状況および決定した閉塞する弁を閉塞する前後の運転状況を表示手段にグラフィカルに表示させることを特徴とする。
【００１３】
さらに、上述した課題を解決するため、本発明に係る管路閉塞支援装置は、請求項４に記載したように、前記データベースは、前記プラントを構成する配管、弁等の構成部品の口径や前記構成部品を流れる流体の種類等の系統仕様情報を有する系統仕様テーブルと、前記流体の密度や粘性等の物性値情報を有する物性値テーブルとを備え、前記演算手段は、前記マンマシンインターフェースから入力された保守作業区間と、前記データベースに格納されるデータとを参照して保守作業の際に閉塞する弁を決定し、決定した閉塞区間の内容積、内部流体の排出時間の計算し、表示手段に計算結果を表示させることを特徴とする。
【００１４】
さらにまた、上述した課題を解決するため、本発明に係る管路閉塞支援装置は、請求項５に記載したように、前記データベースは、前記プラントを構成する配管、弁等の構成部品の口径や前記構成部品を流れる流体の種類等の系統仕様情報を有する系統仕様テーブルと、前記プラントの操作情報を有する操作テーブルとを備え、前記演算手段は、前記マンマシンインターフェースから入力された保守作業区間と、前記データベースに格納されるデータとを参照して保守作業の際に閉塞する弁を決定し、前記閉塞する弁の操作として、操作順序および操作方法についての手順を表示手段に表示させることを特徴とする。
【００１５】
一方、上述した課題を解決するため、本発明に係る管路閉塞支援装置は、請求項６に記載したように、前記データベースは、前記プラントを構成する配管、弁等の構成部品の口径や前記構成部品を流れる流体の種類等の系統仕様情報を有する系統仕様テーブルと、前記プラントの操作情報を有する操作テーブルとを備え、前記演算手段は、前記マンマシンインターフェースから入力された保守作業区間と、前記データベースに格納されるデータとを参照して保守作業の際に閉塞する弁を決定し、前記閉塞する弁の操作を操作順序および操作方法についての手順を表示手段に表示させ、前記閉塞する弁の操作を行う制御信号を送出可能に構成したことを特徴とする。
【００１６】
また、上述した課題を解決するため、本発明に係る管路閉塞支援装置は、請求項７に記載したように、前記データベースは、保守作業の際に必要とされる仮設物の情報を有する仮設物テーブルと、前記仮設物の設置から撤去するまでに必要とされる工数の情報を有する工数テーブルとを備え、前記演算手段は、前記マンマシンインターフェースから入力された保守作業区間と、前記データベースに格納されるデータとを参照して保守作業の際に閉塞する弁を決定し、前記閉塞する弁で閉塞するにあたって必要な仮設物および必要作業と、工数とを算出することを特徴とする。
【００１７】
さらに、上述した課題を解決するため、本発明に係る管路閉塞支援装置は、請求項８に記載したように、前記データベースは、実施した保守作業の履歴情報を有する履歴テーブルとを備え、前記マンマシンインターフェースから前記履歴情報を有する前記履歴テーブル前記外部機器の少なくとも一方から参照したい任意の履歴情報の閲覧および入手の少なくとも一方を可能に構成したことを特徴とする。
【００１８】
本発明に係る管路閉塞支援方法は、上述した課題を解決するため、請求項９に記載したように、作業者がマンマシンインターフェースから保守作業区間を入力する保守作業区間入力ステップと、前記保守作業区間入力ステップで入力された保守作業区間をプラントを運転状態のまま部分的に閉塞する幾つかの閉塞区間を前記マンマシンインターフェースに提示する閉塞区間提示ステップと、作業者が前記マンマシンインターフェースから前記提示された閉塞区間のうち任意の閉塞区間を選択する閉塞区間選択ステップと、前記閉塞区間選択ステップで入力された閉塞区間を前記マンマシンインターフェースに表示する閉塞区間表示ステップとを備えることを特徴とする。
【００１９】
【発明の実施の形態】
以下、本発明に係る管路閉塞支援装置およびその方法の実施の形態について、図面を参照して説明する。
【００２０】
［第１の実施形態］
図１に、本発明の第１の実施形態に係る管路閉塞支援装置１０の構成概要を示した構成概要ブロック図を示す。
【００２１】
図１に示される管路閉塞支援装置１０は、マンマシンインターフェース（ＭＭＩ）としてのフロントエンドＣＡＤシステム１１と、演算処理を実行する演算部１２と、管路を有するプラントを構成する各種部品図面、組立品図面および系統図面の情報（論理的な接続を把握可能な線図データ、二次元または三次元のＣＡＤデータ等）である系統図情報１３と、情報を保有するデータベース（以下、ＤＢとする）１４とを具備する。
【００２２】
管路閉塞支援装置１０が具備するフロントエンドＣＡＤシステム１１は、演算部１２からの情報を表示する表示手段１６と、演算部１２に様々な処理を実行させる操作を行う操作手段１７とを備える。また、ＤＢ１４には、主に系統図情報１３に関するデータ（情報テーブル）が格納される。
【００２３】
ＤＢ１４は、プラントを構成する各種部品の接続情報を有する接続情報テーブル１９と、プラントを構成する各種弁の弁属性情報を有する弁属性情報テーブル２０と、プラントを構成する各種部品の配置情報を有する配置情報テーブル２１とを備え、これらの情報テーブルをデータとして格納する。
【００２４】
図２に系統図情報１３の一例として、あるプラントの線図データによる系統図を（一部省略）を示す。
図２によれば、例示されるプラントは、ポンプ２３と、タンク２４と、熱交換器２５とを配管２６および各種の弁で接続する。図２に示される弁には、電動機駆動弁２８と、逆止弁２９と、常時閉玉型弁３０と、常時開玉型弁３１と、常時閉仕切弁３３と、常時開仕切弁３４とがあり、これらの弁は、視覚的に識別が可能なように異なる記号で表示される。また、配管２６内を流れる流体の方向は、矢印で図示されており、視覚的に素早く認識することが可能である。
【００２５】
図３にある管路を有するプラントの一部を図示した簡易系統図を示し、図４〜図６に系統図情報１３に関する情報テーブルとしてＤＢ１４に格納される接続情報テーブル１９、弁属性情報テーブル２０および配置情報テーブル２１の一例を示す。
【００２６】
図３に示されるプラントの一部は、複数の配管２６が継手３５により接続されており、配管２６、継手３５の各々にエンティティＩＤと呼ばれるプラント内に１つしかない固有の識別番号が付与される。図３に示される簡易系統図を例にすれば、２本の配管経路を合流させて１本の配管経路にして流出する継手３５には、Ｘ０１２９Ｕ９４というエンティティＩＤが付与されている。
【００２７】
図４に示される接続情報テーブル１９は、項目として、エンティティＩＤと、例えば、４つ等、少なくとも１つ以上の上流エンティティＩＤおよび下流エンティティＩＤを有する。図４に示される例は、図３に示される簡易系統図における継手３５（エンティティＩＤがＸ０１２９Ｕ９４）に関する接続情報である。
【００２８】
図４によれば、図３に示される継手３５の場合、エンティティＩＤはＸ０１２９Ｕ９４、上流エンティティＩＤは上流エンティティＩＤ　Ａ　および上流エンティティＩＤ　Ｂ　の２つで、上流エンティティＩＤ　Ａ　はＸ０１２９ＵＦ３、上流エンティティＩＤ　Ｂ　はＸ０１ＹＴＵ９４、下流エンティティＩＤ　Ａ　はＶ８１２９Ｕ５Ｒである。
【００２９】
図５は、弁属性情報テーブル２０の一例を示す。
【００３０】
弁属性情報テーブル２０は、項目として、弁識別記号と、所属する配管ライン番号と、弁の型式を示す弁型式と、常時開閉状態と、閉塞使用の可否とを有する。弁識別記号は、弁を識別する記号を表し、プラントを構成する各弁に付与される固有の弁タグ番号である。所属する配管ライン番号は、その弁が何番の配管ラインに所属するかを表す。弁型式は、その弁の型式を表す。常時開閉状態は、その弁が通常時において、開または閉のどちらの状態にあるかを表す。閉塞使用の可否は、その弁が閉塞に使用できる弁か否かを表す。
【００３１】
図５に示される例では、弁識別番号はＶ−００１、所属する配管ライン番号はＦＤＷ−００１０−１、弁型式はＷＧ（ゲート弁を意味する）、常時開閉状態はＮＯ（常時開）、閉塞使用の可否は、Ｙ（使用可を意味する）である。
【００３２】
図６は、配置情報テーブル２１の一例を示す。
【００３３】
配置情報テーブル２１は、項目として、識別記号、物品種類、座標、配置向き、サイズ、直近の床または壁からの距離、支持タイプおよび重量を有する。
【００３４】
識別記号は、プラント内において物品を一意に識別可能な記号を表す。物品種類は、例えば、弁、配管、継手等の物品の種類を表す。座標は、例えば、その物品の重心等の特性的な位置を表す。配置向きは、その物品の特性的な配置向きを表す。サイズは、例えば、その物品の長さや曲げ半径等の特性的な大きさを表す。直近の床または壁からの距離は、その物品から直近の床または壁からの距離を表す。支持タイプは、その物品を支持するのに必要な架構のタイプを表す。重量は、その物品の重量を表す。
【００３５】
図６に示される例では、識別記号はＶ−００１、物品種類はＦＬＧ（フランジ継手を意味する）、座標は、重心ｇ（２００００，１７５００，３６００）、配置向きはＸ（Ｘ軸に平行を意味する）、サイズは５００Ａ（呼び口径５００Ａを意味する）、直近の床または壁からの距離はＦ５０００（床からの距離が５０００ｍｍを意味する）、支持タイプはＧ（架台を意味する）、重量は８０ｋｇである。
【００３６】
ここで、図１に示される管路閉塞支援装置１０を使用した保守作業の計画立案について説明する。
【００３７】
まず、管路閉塞支援装置１０を利用して保守作業の計画を行う作業者（以下、作業者とする）は、保守作業区間入力ステップとして、ＭＭＩとしてのフロントエンドＣＡＤシステム１１に備えられる操作手段１７から入力操作して保守対象の系統図情報１３を読み出す。すると、演算部１２は、系統図情報１３を読み出して、表示手段１６に読み出した系統図情報１３を図２に例示されるように表示するので、作業者は操作手段１７から表示手段１６に表示された系統図情報１３において、保守作業を実行する区間を指示する。
【００３８】
次に、演算部１２は、作業者が保守作業区間入力ステップで実行した操作手段１７からの保守区間の指示を受けて、閉塞区間提示ステップを実行する。
【００３９】
閉塞区間提示ステップでは、演算部１２が、配管ライン番号、弁タグ番号等の検索キーを取得してＤＢ１４に格納される接続情報テーブル１９から保守作業を行うプラントの配管接続情報を検索して、保守作業を希望する区間に接続されている弁を順次検索する。そして、演算部１２は、検索された弁が閉塞に利用可能か否かを弁属性情報テーブル２０により判断して閉塞するのに適切な弁を決定し、閉塞する区間（以下、閉塞区間とする）を決定する。
【００４０】
また、閉塞区間を決定する条件設定として、最短区間、最低の作業工数等の作業者が選択し得る幾つかの条件を事前に設定しておく。演算部１２は、事前に設定された条件に応じて閉塞するのに適切な弁を検索して、事前に設定した条件に応じた複数個の閉塞区間が決定される。
【００４１】
次に、作業者は、閉塞区間選択ステップを実行して、決定された複数個の閉塞区間から保守作業を行う上での作業要求を考慮して、最も適合する閉塞区間を選択する。閉塞区間の選択操作は、作業者が操作手段１７から入力することでなされる。
【００４２】
次に、閉塞区間が決定したら、閉塞区間表示ステップとして、演算部１２は配置情報テーブル２１から閉塞区間内配管経路の高低を考慮して、接続されているドレン・ベントラインのうち、閉塞区間に内包される流体の排出に最適なドレン・ベントラインを選択する。選択されたドレン・ベントラインは、フロントエンドＣＡＤシステム１１が備える表示手段１６にグラフィカルに表示される。
【００４３】
本実施形態に係る管路閉塞支援装置１０によれば、作業者がＭＭＩとしてのフロントエンドＣＡＤシステム１１が備える操作手段１７から保守対象区間を指示することにより、演算部１２が処理を開始して、事前に設定した条件から選定した複数個の閉塞区間をフロントエンドＣＡＤシステム１１が備える表示手段１６にグラフィカルに表示することができる。
【００４４】
従って、作業者は保守作業を行うのに最適な閉塞区間および閉塞する弁を視覚的かつ、容易に把握できる。そして、作業者は、選定された複数個の閉塞区間をチェックした後、保守作業を行う上での作業要求を考慮して事前設定した条件のうち最も適する条件で検索した閉塞区間を決定するだけで、容易に作業要求を満足する閉塞区間を決定できる。
【００４５】
尚、管路閉塞支援装置１０が具備するフロントエンドＣＡＤシステム１１は、系統図情報１３を読み出して図２に例示するように論理的な接続を把握可能な線図で表示しているが、二次元または三次元の系統図で表示しても良いし、これらを作業者が任意に切り替えて表示できるようにしても良い。また、管路閉塞支援装置１０は、外部機器とのインターフェース（以下、Ｉ／Ｆとする）を具備していないが、外部機器とのＩ／ＦとしてＩ／Ｆ部を具備しても良い。
【００４６】
［第２の実施形態］
図７に、本発明の第２の実施形態に係る管路閉塞支援装置１０Ａの構成概要を示した構成概要ブロック図を示す。
【００４７】
図７に示される管路閉塞支援装置１０Ａは、本発明の第１の実施形態に係る管路閉塞支援装置１０に対して、外部機器とのインターフェース（以下、Ｉ／Ｆとする）であるＩ／Ｆ部３６を具備して、このＩ／Ｆ部３６にプラント運転情報システムＩ／Ｆ３７を備える点と、ＤＢ１４の代わりにＤＢ１４Ａを具備する点以他は基本的な構成は異ならない。従って、管路閉塞支援装置１０Ａにおいて、管路閉塞支援装置１０と異ならない箇所については、同じ符号を付してその説明を省略する。
【００４８】
図７に示される管路閉塞支援装置１０Ａは、フロントエンドＣＡＤシステム１１と、演算部１２と、系統図情報１３と、ＤＢ１４Ａとを具備し、さらに、外部機器とのＩ／ＦであるＩ／Ｆ部３６を具備している。また、Ｉ／Ｆ部３６は、外部機器であるプラント運転情報システム（図外）とのＩ／Ｆであるプラント運転情報システムＩ／Ｆ３７を備える。
【００４９】
ＤＢ１４Ａは、ＤＢ１４が備える接続情報テーブル１９、弁属性情報テーブル２０および配置情報テーブル２１に加えて、さらに、プラントの運転情報を有する運転テーブル３８を備える。運転テーブル３８は、ＤＢ１４Ａに格納される接続情報テーブル１９等の他のテーブルと異なり、管路閉塞支援装置１０Ａの使用中にプラント運転情報システムからプラント運転情報システムＩ／Ｆ３７を介して取得されるテーブルである。
【００５０】
図８に運転テーブル３８の一例を示す。
【００５１】
運転テーブル３８には、項目として、例えば、弁やポンプ等の各機器について、識別記号としてのタグＮＯ．と、機器の種類を識別する種別と、機器の運転状態を表す運転状態と、例えば、弁の開き具合やポンプの負荷率を表す開度とがある。図８に示される運転テーブル３８によれば、例えば、１行目に示される機器は、タグＮＯ．がＶ−００１、種別がＶ（弁：Ｖａｌｖｅを意味する）、運転状態がＯＰＥＮ（弁が開いている状態を意味する）、開度７０％である。
【００５２】
ここで、図７に示される管路閉塞支援装置１０Ａを使用した保守作業の計画について説明する。
【００５３】
管路閉塞支援装置１０Ａを使用して保守作業の計画を行う場合は、Ｉ／Ｆ部３６に備えられるプラント運転情報システムＩ／Ｆ３７を介してプラント運転情報システムと接続した状態で使用するため、作業者は、まず、使用する前に管路閉塞支援装置１０Ａが外部機器であるプラント運転情報システムと接続されているかを確認する。
【００５４】
次に、作業者は第１の実施形態と同様にして、保守作業区間入力ステップを実行して、表示手段１６に系統図情報１３を表示させ、表示手段１６に表示された系統図情報１３から保守作業を行う区間を指示する。すると、演算部１２は、閉塞区間提示ステップを実行して、事前設定された条件を考慮して、閉塞に適する幾つかの閉塞区間を表示手段１６に提示する。
【００５５】
そして、作業者は、閉塞区間選択ステップを実行して、表示手段１６に提示された閉塞区間のうち、保守作業を行う上での作業要求を考慮して、最も適合する条件で検索した閉塞区間を選択し、閉塞区間を決定する。
【００５６】
次に、閉塞区間選択ステップで閉塞区間が決定したら、演算部１２は、閉塞区間表示ステップを実行する。管路閉塞支援装置１０Ａで実行される閉塞区間表示ステップは、まず、選択決定された閉塞区間における弁、ポンプの現在の運転状況の情報を取得するため、プラント運転情報システムから運転テーブル３８を読み出して、ＤＢ１４Ａに格納する。そして、演算部１２は、決定した閉塞区間から実際の閉塞対象となる弁の情報を弁属性情報テーブル２０の検索結果より取り出す。
【００５７】
次に、演算部１２は、弁属性情報テーブル２０の検索結果より取り出した閉塞対象となる弁の情報に基づき、閉塞対象となる弁を閉塞する前と閉塞した後との運転状況の変化をＤＢ１４Ａに格納された運転テーブル３８を参照して演算する。そして、演算結果、すなわち、閉塞対象となる弁に対して閉塞する前と閉塞した後との運転状況の変化をフロントエンドＣＡＤシステム１１が備える表示手段１６にグラフィカルに表示する。
【００５８】
弁を閉塞する前後の運転状況の変化は、弁の開閉状況の変化や保守対象のプラント内のプラント動作区間の変化等がある。例えば、表示手段１６に表示される弁を閉塞する前後の運転状況の変化として、弁の開閉状況について説明すれば、表示手段１６に表示される弁は、弁が閉じられている場合は黒で、弁が開かれている場合は点滅表示で表示される等、開閉状況が把握しやすいように異なる表示がなされる。従って、作業者は、視覚的かつ容易に弁の開閉状況を把握できる。
【００５９】
尚、表示手段１６に表示される弁の開閉状況を示す識別は、必ずしも弁が閉じられている場合は黒、弁が開かれている場合は点滅表示でなくても良く、作業者が弁の開閉状況を視覚的に識別可能であれば良い。
【００６０】
本実施形態に係る管路閉塞支援装置１０Ａによれば、保守作業の際、演算部１２が運転テーブル３８の情報を参照して、保守対象区間内の弁の開閉状態をフロントエンドＣＡＤシステム１１が備える表示手段１６にグラフィカルに表示されるので、経験の浅い作業者でも運転状況を視覚的に把握することができる。また、閉塞作業の実施前と実施後との運転状況を視覚的に識別可能に表示されるため、運転状況の変化を容易に把握することが可能となる。
【００６１】
尚、本実施形態では、管路閉塞支援装置１０Ａがプラント運転情報システムから運転テーブル３８を読み出して、ＤＢ１４Ａに格納しているが、運転テーブル３８をＤＢ１４Ａに格納せずに、運転テーブル３８が必要な時に演算部１２がプラント運転情報システムから運転テーブル３８を読み出すようにしても良い。
【００６２】
また、管路閉塞支援装置１０Ａに具備されるＩ／Ｆ部３６は、プラント運転情報システムのＩ／Ｆであるプラント運転情報システムＩ／Ｆ３７に加えて、他の外部機器とのＩ／Ｆをさらに備えても構わない。
【００６３】
［第３の実施形態］
図９に、本発明の第３の実施形態に係る管路閉塞支援装置１０Ｂの構成概要を示した構成概要ブロック図を示す。
【００６４】
図９に示される管路閉塞支援装置１０Ｂは、本発明の第１の実施形態に係る管路閉塞支援装置１０に対して、ＤＢ１４に系統仕様テーブル４０を付加したＤＢ１４ＢをＤＢ１４に代わって備えるものであり、その他の箇所は異ならない。従って、管路閉塞支援装置１０Ｂにおいて、管路閉塞支援装置１０と異ならない箇所については、同じ符号を付してその説明を省略する。
【００６５】
図９に示される管路閉塞支援装置１０Ｂは、フロントエンドＣＡＤシステム１１と、演算部１２と、系統図情報１３と、ＤＢ１４Ｂとを具備している。ＤＢ１４Ｂは、ＤＢ１４が有する接続情報テーブル１９、弁属性情報テーブル２０および配置情報テーブル２１に加え、さらに、プラントの系統仕様を有する系統仕様テーブル４０と、プラントにおいて使用される物品の物性値を有する物性値テーブル４１とを備える。系統仕様テーブル４０および物性値テーブル４１は、接続情報テーブル１９等と同様に事前にＤＢ１４Ｂ内に格納されている。
【００６６】
ＤＢ１４Ｂ内に格納される系統仕様テーブル４０および物性値テーブル４１の一例を図１０および図１１にそれぞれ示す。
【００６７】
図１０に示される系統仕様テーブル４０は、項目として、どの配管ラインに所属するかを識別する配管ライン番号と、配管ラインを構成する配管の口径を表す配管ライン口径と、配管ラインを構成する配管の管壁の厚さを表す配管肉厚と、配管ラインに内包される流体の種類を表す流体種類とを有する。また、図１１に示される物性値テーブル４１は、項目として、流体の種類を表す流体種類と、その流体の比重を表す比重と、その流体の粘度を表す粘度とを有する。
【００６８】
ここで、図９に示される管路閉塞支援装置１０Ｂを使用した保守作業の計画について説明する。
【００６９】
管路閉塞支援装置１０Ｂを使用した保守作業の計画は、まず、作業者が第１の実施形態および第２の実施形態と同様にして、保守作業区間入力ステップおよび閉塞区間選択ステップを実行する。すなわち、作業者は、表示手段１６に系統図情報１３を表示させて、表示手段１６に表示された系統図情報１３から保守作業を行う区間を指示する。そして、演算部１２が表示手段１６に提示した閉塞区間のうち、保守作業を行う上での作業要求を考慮して、最も適合する条件で検索した閉塞区間を操作手段１７から入力して選択し、閉塞区間を決定する。
【００７０】
次に、閉塞区間が決定したら、演算部１２は、閉塞区間表示ステップを実行する。管路閉塞支援装置１０Ｂで実行される閉塞区間表示ステップは、ます、決定された閉塞区間内に内包される液体の量および排出に要する時間を計算する。
【００７１】
閉塞区間内に内包される液体の量および排出に要する時間を計算する際には、時間計算に必要な情報をＤＢ１４Ｂから読み出す必要があり、計算に必要な情報は、決定された閉塞区間の容積、内包される流体の種類、流体の物性値、配管の配置情報（高低差）等がある。演算部１２は、計算に必要な情報をＤＢ１４Ｂに格納される接続情報テーブル１９、配置情報テーブル２１、系統仕様テーブル４０および物性値テーブル４１を参照して取得する。
【００７２】
計算に必要な情報の拾い出しは、まず、演算部１２がＤＢ１４Ｂに格納される接続情報テーブル１９から配管系統の各部品、すなわち、管、継手、弁等の接続の前後関係を取得して、次に、配管系統の各部品の構成要素、すなわち、管の長さ、継手、弁の個数等を配置情報テーブル２１から取得する。次に、配置情報テーブル２１から拾い出した各部品の構成要素に対する口径、肉厚情報、内包される流体の種類の情報を系統仕様テーブル４０から取得して、系統仕様テーブル４０から取得した閉塞区間内に内包される流体の物性値を物性値テーブル４１から取得することでなされる。
【００７３】
図１０に示される系統仕様テーブル４０の例で言えば、配管ライン番号はＦＤＷ−００１０−１、配管ライン口径は５００Ａ、配管肉厚はＳ／１６０（呼び肉厚：スケジュール１６０を意味する）、流体種類はＦ０１（第一種燃料油を意味する）である。一方、図１１に示される物性値テーブル４１によれば、流体種類はＦ０１、比重は０．９、粘度は３．６ｃＳｔ（センチストークス）である。
【００７４】
次に、演算部１２が計算に必要な情報の取得を完了したら、演算部１２は、取得した情報と閉塞区間における配管内の流体の温度とに基づいて、閉塞区間内に内包される流体の量および排出時間を計算する。計算された結果は、フロントエンドＣＡＤシステム１１が備える表示手段１６に表示される。
【００７５】
本実施形態に係る管路閉塞支援装置１０Ｂによれば、ＤＢ１４Ｂに格納されている情報から閉塞対象区間の配管系統の内容積を計算して、配置情報テーブル２１が有する配管が配置される高低のデータ、系統仕様テーブル４０が有する流体種類のデータ、物性値テーブル４１が有する物性値情報のデータおよび閉塞区間内に内包される流体の温度から閉塞区間内に内包される流体の排出時間を計算できる。従って、保守作業前の準備作業として行う内部流体の排出作業時間を容易に把握することが可能となる。
【００７６】
尚、図１０に示される系統仕様テーブル４０の項目には、配管ライン番号、配管ライン口径、配管肉厚および流体種類があるがこれら以外にも、配管ラインを構成する配管が適正な使用に耐え得る圧力を表した最高使用圧力や、適正な使用に耐え得る温度を表した最高使用温度の項目を有しても良い。
【００７７】
また、管路閉塞支援装置１０Ｂは、外部機器とのＩ／Ｆとして、Ｉ／Ｆ部を具備しても良い。
【００７８】
［第４の実施形態］
図１２に、本発明の第４の実施形態に係る管路閉塞支援装置１０Ｃの構成概要を示した構成概要ブロック図を示す。
【００７９】
図１２に示される管路閉塞支援装置１０Ｃは、本発明の第２の実施形態に係る管路閉塞支援装置１０Ａに対して、ＤＢ１４Ａおよびプラント運転情報システムＩ／Ｆ３７の代わりに、ＤＢ１４Ｃおよび外部機器であるドキュメント管理システム（以下、ＤＯＣ管理システムとする）とのＩ／ＦであるＤＯＣ管理システムＩ／Ｆ４３を具備したものであり、その他の箇所は異ならない。従って、管路閉塞支援装置１０Ｃにおいて、管路閉塞支援装置１０Ｂと異ならない箇所については、同じ符号を付してその説明を省略する。
【００８０】
図１２に示される管路閉塞支援装置１０Ｃは、フロントエンドＣＡＤシステム１１と、演算部１２と、系統図情報１３と、ＤＢ１４Ｃと、外部機器である図面や作業手順書等の図書を管理するＤＯＣ管理システム（図外）とのＩ／ＦであるＤＯＣ管理システムＩ／Ｆ４３を備えるＩ／Ｆ部３６とを具備している。管路閉塞支援装置１０Ｃに具備されるＤＢ１４Ｃは、ＤＢ１４Ａが備える接続情報テーブル１９と、弁属性情報テーブル２０と、配置情報テーブル２１とに加え、さらに、系統仕様テーブル４０と、プラントの操作情報を有する操作テーブル４５を備える。
【００８１】
図１３に操作テーブル４５の一例を示す。
【００８２】
操作テーブル４５は、項目として、例えば、プラントの停止等のプラントに対して大きなレベルでの操作を表す操作と、操作の項目を実現する詳細な手順を表す操作手順と、この操作手順を操作の項目において何番目に行うかを表す操作順番と、操作手順における操作の対象物を表す対象物と、操作手順を実現するより具体的な操作の内容を表す操作内容とを有する。従って、操作テーブル４５において、操作の項目と操作手順の項目との関係は、ある操作を実現するために、少なくとも１つ以上の操作手順を行うという関係になる。
【００８３】
ここで、図１２に示される管路閉塞支援装置１０Ｃを使用した保守作業の計画立案および実施について説明する。尚、図１２では、管路閉塞支援装置１０Ｃに具備されるＩ／Ｆ部３６は、外部機器と接続されていないが、保守作業の計画立案および実施の際には、管路閉塞支援装置１０ＣをＤＯＣ管理システムＩ／Ｆ４３を介してＤＯＣ管理システムと接続した状態で使用する。
【００８４】
管路閉塞支援装置１０Ｃを使用した保守作業の計画は、まず、作業者が第１〜第３の実施形態と同様にして、保守作業区間入力ステップおよび閉塞区間選択ステップを実行して、保守作業を行う区間を指示し、演算部１２により表示手段１６に提示された閉塞区間から保守作業を実施する際の閉塞区間を操作手段１７から入力して選択し、決定する。
【００８５】
次に、閉塞区間が決定したら、演算部１２は、閉塞区間表示ステップを実行する。管路閉塞支援装置１０Ｃで実行される閉塞区間表示ステップは、まず、演算部１２がＤＢ１４Ｃに格納される接続情報テーブル１９から閉塞区間に接続される機器、弁等の各機器の情報を取得する。そして、演算部１２は、取得した機器、弁のタグ番号等を検索キーとしてＤＢ１４Ｃに格納される操作テーブル４５を検索して、検索結果をフロントエンドＣＡＤシステム１１が備える表示手段１６に表示する。
【００８６】
例えば、演算部１２がＳｈｕｔ　Ｄｏｗｎ　操作およびＶ−００１を検索キーとして図１３に示される操作テーブル４５を検索した場合、図１３に示される操作テーブル４５には、操作が　Ｓｈｕｔ　Ｄｏｗｎ　（プラント停止を意味する）、操作手順がＶ−００１　Ｃｌｏｓｅ（弁Ｖ−００１を閉じることを意味する）、操作順番が１、対象物がＶ−００１、操作内容がＣｌｏｓｅとあることから、Ｓｈｕｔ　Ｄｏｗｎ　操作において、最初に弁Ｖ−００１を閉じる操作手順を実行する旨がフロントエンドＣＡＤシステム１１に備えられる表示手段１６に表示されることになる。
【００８７】
また、操作を実行する上で該当機器の図面、その他図書を参照可能なように、継手、弁等の各機器にはハイパーリンク機構によりリンク設定がされている。例えば、表示手段１６に表示される弁の図面を参照したい場合は、作業者がフロントエンドＣＡＤシステム１１に備えられる操作手段１７を操作して表示手段１６に表示される弁を選択することで、演算部１２が選択された弁にリンク設定されたＵＲＬ（Ｕｎｉｆｏｒｍ　Ｓｏｕｒｃｅ　Ｌｏｃａｔｉｏｎ）に格納される弁の図面情報を読み出して、読み出した弁の図面情報を表示手段１６に表示する。
【００８８】
管路閉塞支援装置１０Ｃは、Ｉ／Ｆ部３６を具備するため、外部機器であるＤＯＣ管理システムとの接続を可能とし、管路閉塞支援装置１０Ｃと接続されるＤＯＣ管理システムからも情報を取得して、取得した情報を表示手段１６に表示することができる。尚、管路閉塞支援装置１０Ｃに具備されるＩ／Ｆ部３６は、ＤＯＣ管理システムとのＩ／ＦであるＤＯＣ管理システムＩ／Ｆ４３に加えて、他の外部機器とのＩ／Ｆをさらに備えても構わない。
【００８９】
本実施形態に係る管路閉塞支援装置１０Ｃによれば、ＤＢ１４Ｃが操作テーブル４５を格納することで、演算部１２が操作テーブル４５から閉塞区間における各機器を検索キーとして操作手順、操作順番等を検索し、検索した結果をフロントエンドＣＡＤシステム１１が備える表示手段１６に表示させる事ができる。従って、作業者は、保守作業として配管系統を閉塞する作業手順を表示手段１６に表示させて、作業手順の確認を容易に行うことができる。
【００９０】
また、管路閉塞支援装置１０Ｃは、外部機器とのＩ／ＦであるＩ／Ｆ部３６を具備しているので、外部機器のドキュメントデータベースから関連する図面およびその他の図書情報を読み出してフロントエンドＣＡＤシステム１１が備える表示手段１６に表示させることが可能となる。従って、作業者は、作業手順を確認しながら、関連する図面およびその他の図書情報を検索したり、閲覧することができる。
【００９１】
［第５の実施形態］
図１４に、本発明の第５の実施形態に係る管路閉塞支援装置１０Ｄの構成概要を示した構成概要ブロック図を示す。
【００９２】
図１４に示される管路閉塞支援装置１０Ｄは、本発明の第４の実施形態に係る管路閉塞支援装置１０Ｃに対して、ＤＯＣ管理システムＩ／Ｆ４３の代わりにプラント操作指示情報送出Ｉ／Ｆ４７を備えたものであり、その他の箇所は異ならない。従って、管路閉塞支援装置１０Ｄにおいて、管路閉塞支援装置１０Ｃと異ならない箇所については、同じ符号を付してその説明を省略する。
【００９３】
図１４に示される管路閉塞支援装置１０Ｄは、フロントエンドＣＡＤシステム１１と、演算部１２と、系統図情報１３と、ＤＢ１４Ｃと、外部機器と電気的に接続して操作指示情報の送出を可能にするプラント操作指示情報送出Ｉ／Ｆ４７を備えるＩ／Ｆ部３６とを具備している。
【００９４】
ここで、図１４に示される管路閉塞支援装置１０Ｄを使用した保守作業の計画立案および実施について説明する。尚、図１４では、管路閉塞支援装置１０Ｄに具備されるＩ／Ｆ部３６は、外部機器と接続されていないが、保守作業の計画立案および実施の際には、管路閉塞支援装置１０Ｄをプラント操作指示情報送出Ｉ／Ｆ４７を介して遠隔操作が可能な外部機器と接続した状態で使用する。
【００９５】
管路閉塞支援装置１０Ｄを使用した保守作業の計画は、まず、作業者が第１〜第４の実施形態と同様にして、保守作業区間入力ステップおよび閉塞区間選択ステップを実行して、保守作業を行う区間を指示し、演算部１２により表示手段１６に提示された閉塞区間から保守作業を実施する際の閉塞区間を操作手段１７から入力して選択し、決定する。
【００９６】
次に、閉塞区間が決定したら、演算部１２は、閉塞区間表示ステップを実行する。管路閉塞支援装置１０Ｄで実行される閉塞区間表示ステップは、まず、演算部１２がＤＢ１４Ｃに格納される接続情報テーブル１９から閉塞区間に接続される機器、弁等の各機器の情報を取得する。そして、取得した機器、弁のタグ番号等を検索キーとしてＤＢ１４Ｃに格納される操作テーブル４５を検索し、操作手順を決定する。
【００９７】
決定した操作手順において、閉塞区間に接続される機器、弁等の各機器のうち電動化されている等、遠隔操作でも制御可能な機器がある場合は、保守作業の実施の際に、演算部１２が遠隔操作を行う機器の具体的な操作指示データを操作テーブル４５から取得して、決定した操作手順に従いプラント操作指示情報送出Ｉ／Ｆ４７を介して遠隔操作対象の機器に制御信号を送出する。
【００９８】
また、演算部１２は、遠隔操作対象の機器に制御信号を送出すると同時に、遠隔操作がなされる機器からも現在の操作状況に関する情報を表す情報信号を受信して、フロントエンドＣＡＤシステム１１が備える表示手段１６に現在の操作状況をリアルタイムに表示することができる。
【００９９】
本実施形態に係る管路閉塞支援装置１０Ｄによれば、Ｉ／Ｆ部３６にプラント操作指示情報送出Ｉ／Ｆ４７を備えることで、操作手順データを電子的に遠隔操作する遠隔操作対象の機器へ送出し、かつ、遠隔操作対象の機器の操作状態を情報信号としてリアルタイムで受信する。従って、作業者は、遠隔操作により制御可能な機器の操作を自動化し、かつ、遠隔制御を行う機器の操作状況をフロントエンドＣＡＤシステム１１が備える表示手段１６にリアルタイムで表示することができる。
【０１００】
また、管路閉塞支援装置１０Ｄが電子的に遠隔操作する遠隔操作対象の機器は、１つである必要はなく、複数以上の機器へ操作手順データを送出しても良い。さらに、管路閉塞支援装置１０Ｄは、Ｉ／Ｆ部３６に備えるプラント操作指示情報送出Ｉ／Ｆ４７に加え、他のＩ／Ｆを備えても良い。
【０１０１】
［第６の実施形態］
図１５に、本発明の第６の実施形態に係る管路閉塞支援装置１０Ｅの構成概要を示した構成概要ブロック図を示す。
【０１０２】
図１５に示される管路閉塞支援装置１０Ｅは、本発明の第１の実施形態に係る管路閉塞支援装置１０に対して、ＤＢ１４の代わりにＤＢ１４Ｄを具備したものであり、その他の箇所は異ならない。従って、管路閉塞支援装置１０Ｅにおいて、管路閉塞支援装置１０と異ならない箇所については、同じ符号を付してその説明を省略する。
【０１０３】
図１５に示される管路閉塞支援装置１０Ｅは、フロントエンドＣＡＤシステム１１と、演算部１２と、系統図情報１３と、ＤＢ１４Ｄとを具備している。管路閉塞支援装置１０Ｅに具備されるＤＢ１４Ｄは、ＤＢ１４が備える接続情報テーブル１９、弁属性情報テーブル２０および配置情報テーブル２１に加えて、保守作業の際に必要とされる仮設物の情報を有する仮設物テーブル５０および仮設物設置から撤去するまでに必要とされる工数の情報を有する工数テーブル５１をさらに備える。
【０１０４】
図１６に仮設物テーブル５０の一例を示し、図１７に工数テーブル５１の一例を示す。
【０１０５】
図１６に示される仮設物テーブル５０は、項目として、プラント内において物品を一意に識別可能な記号である識別記号と、この識別記号で表される物品の保守作業する際に必要な仮設物のタイプを表す仮設物タイプとを有する。尚、仮設物テーブル５０が有する識別記号は、配置情報テーブル２１が有する識別記号と同一の項目である。
【０１０６】
図１７に示される工数テーブル５１は、項目として、仮設物のタイプを表す仮設物タイプと、この仮設物タイプの仮設物を設置するのに要する概略の工数を表す概略設置工数と、この仮設物タイプの仮設物を撤去するのに要する概略の工数を表す概略撤去工数とを有する。尚、工数テーブル５１が有する仮設物タイプと仮設物テーブル５０が有する識別記号とは同一の項目である。
【０１０７】
仮設物テーブル５０および工数テーブル５１を具体的に例示すると、図１６に示される仮設物テーブル５０は、識別記号がＶ−００１、仮設物タイプがＧ（架台を意味する）である。また、図１７に示される工数テーブル５１は、仮設物タイプがＧ、概略設置工数が３０ｈｒ（３０時間を意味する）、概略撤去工数が１０ｈｒである。
【０１０８】
ここで、図１５に示される管路閉塞支援装置１０Ｅを使用した保守作業の計画立案について説明する。
【０１０９】
管路閉塞支援装置１０Ｅを使用した保守作業の計画は、まず、作業者が第１〜第５の実施形態と同様にして、保守作業区間入力ステップおよび閉塞区間選択ステップを実行して、保守作業を行う区間を指示し、演算部１２により表示手段１６に提示された閉塞区間から保守作業を実施する際の閉塞区間を操作手段１７から入力して選択し、決定する。
【０１１０】
次に、閉塞区間が決定したら、演算部１２は、閉塞区間表示ステップを実行する。管路閉塞支援装置１０Ｅで実行される閉塞区間表示ステップは、まず、演算部１２が、決定された閉塞区間の存在する場所の三次元的な配置情報、すなわち、閉塞区間に存在する他の機器、構造物等の配置情報を配置情報テーブル２１により取得する。
【０１１１】
次に、演算部１２は、取得した情報から配管の閉塞作業に必要な仮設の架台、仮設配管等の資材および資材数量を仮設物テーブル５０によって計算する。また、保守作業の実施前に行う保守付随作業である仮設資材の搬入、仮設物の据付、検査、および撤去等の作業に要する工数を工数テーブル５１によって計算する。そして、演算部１２は、計算した計算結果をフロントエンドＣＡＤシステム１１が備える表示手段１６にグラフィカルに表示する。
【０１１２】
本実施形態に係る管路閉塞支援装置１０Ｅによれば、ＤＢ１４Ｄに保守作業に必要な資材および資材数量に関する情報を有する仮設物テーブル５０と仮設物に関する保守付随作業のうち必要な工数の情報を有する工数テーブル５１とを備えるので、演算部１２が必要とされる仮設物の資材および数量と、仮設物に関わる準備作業で必要とされる工数とを計算し、計算結果をフロントエンドＣＡＤシステム１１が備える表示手段１６にグラフィカルに表示させることができる。従って、保守作業前に必要とされる準備作業の計画立案および実施を容易に実施することができる。
【０１１３】
尚、管路閉塞支援装置１０Ｅは、外部機器とのＩ／Ｆを具備していないが、外部機器とのＩ／ＦとしてＩ／Ｆ部を具備しても良い。
【０１１４】
［第７の実施形態］
図１８に、本発明の第７の実施形態に係る管路閉塞支援装置１０Ｆの構成概要を示した構成概要ブロック図を示す。
【０１１５】
図１８に示される管路閉塞支援装置１０Ｆは、本発明の第２の実施形態に係る管路閉塞支援装置１０Ａに対して、ＤＢ１４Ａの代わりに、ＤＢ１４Ｅを具備し、Ｉ／Ｆ部３６が備えるプラント運転情報システムＩ／Ｆ３７の代わりに、履歴情報Ｉ／Ｆ５３を備えるものであり、その他の箇所は異ならない。従って、管路閉塞支援装置１０Ｆにおいて、管路閉塞支援装置１０Ａと異ならない箇所については、同じ符号を付してその説明を省略する。
【０１１６】
図１８に示される管路閉塞支援装置１０Ｆは、フロントエンドＣＡＤシステム１１と、演算部１２と、系統図情報１３と、ＤＢ１４Ｅと、プラント全体の保守情報を管理する履歴情報システム（外部機器）とのＩ／Ｆである履歴情報Ｉ／Ｆ５３を備えるＩ／Ｆ部３６を具備している。
【０１１７】
管路閉塞支援装置１０Ｆに具備されるＤＢ１４Ｅは、ＤＢ１４Ｄが備える接続情報テーブル１９、弁属性情報テーブル２０、配置情報テーブル２１、仮設物テーブル５０および工数テーブル５１に加えて、さらに保守作業の履歴情報を有する履歴テーブル５５を備える。
【０１１８】
図１９に履歴テーブル５５の一例を示す。
【０１１９】
図１９に示される履歴テーブル５５によれば、項目として、保守した物品の識別記号を表す保守物品識別記号と、この保守物品識別記号が示す物品を補修した内容を表す補修内容と、この補修内容の作業を実施した期間を表す補修期間と、この保守物品識別記号が示す物品の保守作業に要した工数を表す実績工数とを有する。
【０１２０】
具体的に履歴テーブル５５に示される各項目を例示すれば、保守物品識別記号はＶ−００１、補修内容はＦ（弁座のすり合せを意味する）、補修期間は、０２０１１４−０２０１１７（２００２年１月１４日〜２００２年１月１７日）、実績工数は、１１０（時間）である。
【０１２１】
ここで、図１８に示される管路閉塞支援装置１０Ｆを使用した保守作業の計画立案および実施について説明する。尚、図１８では、管路閉塞支援装置１０Ｆに具備されるＩ／Ｆ部３６は外部機器と接続されていないが、保守作業の計画立案および実施の際には、管路閉塞支援装置１０Ｆを履歴情報Ｉ／Ｆ５３を介して履歴情報システムと接続した状態で使用する。
【０１２２】
管路閉塞支援装置１０Ｆを使用した保守作業の計画は、計画の際に、過去に実施した作業か否か、すなわち、履歴情報の有無を確認する。履歴情報の有無は、作業者が操作手段１７から操作して、今回の保守作業で保守対象となる弁、機器等に付されるタグ番号や、補修内容等を検索キーとして過去に実施された工事に関する履歴情報を演算部１２に検索させる。
【０１２３】
履歴情報の検索は、演算部１２が履歴テーブル５５を読み出すことでなされる。演算部１２が履歴テーブル５５を参照して履歴検索を実施した結果は、フロントエンドＣＡＤシステム１１が備える表示手段１６に表示され、演算部１２が履歴テーブル５５から検索した結果、過去に類似の作業を実施している場合は、該当する履歴テーブル５５の情報が過去に実施した作業実績として表示手段１６に表示される。
【０１２４】
次に、作業者は、表示手段１６に表示される過去に実施した作業実績を参照しながら保守作業の計画を立案する。また、保守作業の計画を立案時に、例えば、閉塞区間のライン番号、利用したドキュメントの番号および改訂番号、操作手順等のより詳細な情報を参照したい場合、作業者は操作手段１７から入力操作し履歴情報Ｉ／Ｆ５３を介して履歴情報システムに接続して、欲しい履歴情報を閲覧したり、入手することができる。
【０１２５】
一方、今回実施する保守作業が履歴情報にない場合は、該当作業の履歴情報がない旨が表示手段１６に表示される。この場合は、作業者が第１〜第６の実施形態と同様にして、保守作業区間入力ステップおよび閉塞区間選択ステップを実行して、保守作業を行う区間を指示し、提示された閉塞区間から保守作業を実施する際の閉塞区間を選択し、決定する。そして、演算部１２が閉塞区間表示ステップを実行して表示手段１６に表示した閉塞区間の表示に従って、保守作業を実施していく。
【０１２６】
本実施形態に係る管路閉塞支援装置１０Ｆによれば、ＤＢ１４Ｅに履歴テーブル５５を保持し、かつ、外部機器とのＩ／Ｆである履歴情報Ｉ／Ｆ５３をＩ／Ｆ部３６に備えているので、保守作業に関する履歴情報を一元化することができる。従って、類似箇所における保守作業を実施する際には、計画立案段階において、類似箇所における保守作業の履歴情報を参考にすることができ、作業者の計画立案作業を省力化することが可能な管路閉塞支援装置を提供できる。
【０１２７】
また、管路閉塞支援装置１０Ｆは、履歴情報Ｉ／Ｆ５３を備えるので、プラント全体の保守情報を管理する履歴情報システム（外部機器）と履歴情報Ｉ／Ｆ５３を介して接続が可能となり、保守情報を管理する履歴情報システムへの問い合わせをリアルタイムで実行し、必要な保守情報を閲覧したり入手できる。一方、管路閉塞支援装置１０Ｆは、プラント全体の保守情報を管理する履歴情報システム（外部機器）と履歴情報Ｉ／Ｆ５３を介して接続が可能なので、履歴情報システム（外部機器）側からも履歴テーブル５５の情報を取得することもできる。
【０１２８】
尚、管路閉塞支援装置１０Ｆは、Ｉ／Ｆ部３６に備える履歴情報Ｉ／Ｆ５３に加え、他のＩ／Ｆを備えても良い。また、履歴テーブル５５は、図１９で例示した項目の他にも補修作業で使用した消費資材の名称および量を表す消費資材の項目をさらに有していても良い。
【０１２９】
以上、これらの実施の形態に係る管路閉塞支援装置およびその方法によれば、作業者がフロントエンドＣＡＤシステム１１が備える操作手段１７から保守対象区間を指示することにより、演算部１２が処理を開始して、事前に設定した条件から選定した複数個の閉塞区間をフロントエンドＣＡＤシステム１１が備える表示手段１６にグラフィカルに表示することができる。
【０１３０】
また、保守対象区間内の弁の開閉状態や閉塞作業の実施前と実施後との運転状況をフロントエンドＣＡＤシステム１１が備える表示手段１６にグラフィカルに表示されるので、経験の浅い作業者でも視覚的に把握することができる。
【０１３１】
さらに、閉塞対象区間の配管系統の内容積を計算して、配管が配置される高低の位置を表す配管配置情報、流体の種類や物性値から閉塞区間内に内包される流体の排出時間を計算したり、操作手順、操作順番、関連する図面およびその他の図書情報等をフロントエンドＣＡＤシステム１１が備える表示手段１６に表示させることができる。
【０１３２】
さらにまた、操作手順データを電子的に遠隔操作対象の機器へ送出し、かつ、遠隔操作対象の機器の操作状態として情報信号をリアルタイムで受信して、遠隔操作により制御可能な機器の操作を自動化し、かつ、遠隔制御を行う機器の操作状況をフロントエンドＣＡＤシステム１１が備える表示手段１６にリアルタイムで表示することができる。
【０１３３】
一方、仮設物の資材および数量のピックアップや仮設物に関わる作業で必要とされる工数の計算等の保守作業実施に要する準備作業についても、演算部１２で計算し、計算結果をフロントエンドＣＡＤシステム１１が備える表示手段１６にグラフィカルに表示させることができる。
【０１３４】
他方、過去に実施した保守作業の履歴情報についても、フロントエンドＣＡＤシステム１１が備える表示手段１６に表示させることができる。例えば、閉塞区間のライン番号、利用したドキュメントの番号および改訂番号、操作手順等のより詳細な情報を参照したい場合は、履歴情報Ｉ／Ｆ５３を介して接続される履歴情報システムから必要な履歴情報を閲覧したり入手することができる。
【０１３５】
本発明に係る管路閉塞支援装置およびその方法によれば、プラント全体の運転を継続したまま、管路の一部の保守作業をするための管路閉塞の計画、工事手順の計画および作業工数の見積といった一連の必要作業を容易化、省力化し、かつ、知識量や経験に左右されずに保守作業の実施が可能となる。
【０１３６】
また、従来、人が行っていた資料収集、計画、立案、現場での作業手順の設定、作業上必要な仮設物の設置計画や仮設物の手配および作業工数の見積作業等の多大な労力を要する保守作業前の準備作業を省力化および合理化することが可能となる。
【０１３７】
従って、プラント全体の運転を継続したまま、管路の一部の保守作業をするための管路閉塞の計画、工事手順の計画および作業工数の見積といった一連の必要作業を容易化、省力化し、かつ、知識量や経験に左右されずに保守作業の実施を可能にした管路閉塞支援装置およびその方法を提供することができる。また、従来、人が行っていた多大な労力を要する保守作業前の準備作業の省力化および合理化を図った管路閉塞支援装置およびその方法を提供することができる。
【０１３８】
尚、管路閉塞支援装置に具備されるフロントエンドＣＡＤシステム１１は、表示手段１６と操作手段１７とを備えるが、表示手段１６および操作手段１７を各々独立した機器で構成する必要はない。フロントエンドＣＡＤシステム１１に備えられる表示手段１６および操作手段１７をタッチパネル等の１機器で構成して表示手段１６と操作手段１７とを兼ね備えても良い。
【０１３９】
また、管路閉塞支援装置が具備するフロントエンドＣＡＤシステム１１の代わりに、Ｗｅｂサーバと接続されたクライアントＰＣが備えるＷｅｂブラウザを利用しても良い。
【０１４０】
さらに、本発明に係る管路閉塞支援装置は、必ずしも１つのハードウェアで構成する必要はない。例えば、ＤＢを外部機器に具備させて、本発明に係る管路閉塞支援装置からＤＢを具備する外部機器に接続可能に構成してＤＢ内の情報テーブルを読み出すように構成した形態も包含する。
【０１４１】
さらにまた、Ｉ／Ｆ部３６を介して外部機器と電気的に接続された管路閉塞支援装置は、管路閉塞支援装置から外部機器への接続も可能であると同時に外部機器から管路閉塞支援装置の接続も可能である。従って、相互に必要な情報をやり取りして演算処理を行うことができる。
【０１４２】
【発明の効果】
本発明に係る管路閉塞支援装置およびその方法によれば、系統図等をフロントエンドＣＡＤシステムに備えられる表示手段に表示させて、ＭＭＩから保守を行う区間の指示を入力し、合理的な閉塞区間を計算してその結果を二次元または三次元でグラフィカルに提示することにより、プラントのプラントの系統構成、配置、運転、運用およびその他の知識が不足していても、保守作業の計画立案および実施が可能となる。
【図面の簡単な説明】
【図１】本発明の第１の実施形態に係る管路閉塞支援装置の一実施例の構成概要を示した構成概要ブロック図。
【図２】本発明に係る管路閉塞支援装置が具備する系統図情報１３の一例として示したあるプラントの線図データによる系統図（一部省略）。
【図３】本発明に係る管路閉塞支援装置が具備するプラントの系統図情報の一例であり、この系統図情報の一部を図示した簡易系統図。
【図４】図３に示される簡易系統図に示される各構成部品の接続情報を有する接続情報テーブルの一例を示す説明図。
【図５】本発明に係る管路閉塞支援装置が具備するＤＢ内に格納される弁属性情報テーブルの一例を示す説明図。
【図６】本発明に係る管路閉塞支援装置が具備するＤＢ内に格納される配置情報テーブルの一例を示す説明図。
【図７】本発明の第２の実施形態に係る管路閉塞支援装置の一実施例の構成概要を示した構成概要ブロック図。
【図８】本発明に係る管路閉塞支援装置が具備するＤＢ内に格納される運転テーブルの一例を示す説明図。
【図９】本発明の第３の実施形態に係る管路閉塞支援装置の一実施例の構成概要を示した構成概要ブロック図。
【図１０】本発明に係る管路閉塞支援装置が具備するＤＢ内に格納される系統仕様テーブルの一例を示す説明図。
【図１１】本発明に係る管路閉塞支援装置が具備するＤＢ内に格納される物性値テーブルの一例を示す説明図。
【図１２】本発明の第４の実施形態に係る管路閉塞支援装置の一実施例の構成概要を示した構成概要ブロック図。
【図１３】本発明に係る管路閉塞支援装置が具備するＤＢ内に格納される操作テーブルの一例を示す説明図。
【図１４】本発明の第５の実施形態に係る管路閉塞支援装置の一実施例の構成概要を示した構成概要ブロック図。
【図１５】本発明の第６の実施形態に係る管路閉塞支援装置の一実施例の構成概要を示した構成概要ブロック図。
【図１６】本発明に係る管路閉塞支援装置が具備するＤＢ内に格納される仮設物テーブルの一例を示す説明図。
【図１７】本発明に係る管路閉塞支援装置が具備するＤＢ内に格納される工数テーブルの一例を示す説明図。
【図１８】本発明の第７の実施形態に係る管路閉塞支援装置の一実施例の構成概要を示した構成概要ブロック図。
【図１９】本発明に係る管路閉塞支援装置が具備するＤＢ内に格納される履歴テーブルの一例を示す説明図。
【符号の説明】
１０，１０Ａ，１０Ｂ，１０Ｃ，１０Ｄ，１０Ｅ，１０Ｆ　管路閉塞支援装置
１１　フロントエンドＣＡＤシステム（ＭＭＩ）
１２　演算部
１３　系統図情報
１４，１４Ａ，１４Ｂ，１４Ｃ，１４Ｄ，１４Ｅ　ＤＢ（データベース）
１６　表示手段
１７　操作手段
１９　接続情報テーブル
２０　弁属性情報テーブル
２１　配置情報テーブル
３６　Ｉ／Ｆ部（インターフェース）
３７　プラント運転情報システムＩ／Ｆ
３８　運転テーブル
４０　系統仕様テーブル
４１　物性値テーブル
４３　ＤＯＣ管理システムＩ／Ｆ
４５　操作テーブル
４７　プラント操作指示情報送出Ｉ／Ｆ
５０　仮設物テーブル
５１　工数テーブル
５３　履歴情報Ｉ／Ｆ
５５　履歴テーブル
【図１】
2004118401.tif 000003
【図２】
2004118401.tif 000004
【図３】
2004118401.tif 000005
【図４】
2004118401.tif 000006
【図５】
2004118401.tif 000007
【図６】
2004118401.tif 000008
【図７】
2004118401.tif 000009
【図８】
2004118401.tif 000010
【図９】
2004118401.tif 000011
【図１０】
2004118401.tif 000012
【図１１】
2004118401.tif 000013
【図１２】
2004118401.tif 000014
【図１３】
2004118401.tif 000015
【図１４】
2004118401.tif 000016
【図１５】
2004118401.tif 000017
【図１６】
2004118401.tif 000018
【図１７】
2004118401.tif 000019
【図１８】
2004118401.tif 000020
【図１９】
2004118401.tif 000021